(57)【要約】      （修正有）【課題】食品ケースの表示情報を容易に把握するための買い物かご用付帯型レンズを提供する。【解決手段】伸縮可能なるスパイラルコードの一端にフレネルレンズ１を、他端に環状金具やクリップからなる係留体を各々設けたことを特徴とする。スパイラルコードに取りつけた収納ケースにレンズを収納するのが好ましい。【選択図】図６
0003207240.tif 000002
【実用新案登録請求の範囲】
【請求項１】
伸縮可能なるスパイラルコードの一端にフレネルレンズを、他端に係留体を各々設けたことを特徴とする買い物かご用付帯型レンズ。
【請求項２】
係留体を環状金具としてなる請求項１記載の買い物かご用付帯型レンズ。
【請求項３】
係留体をクリップとしてなる請求項１記載の買い物かご用付帯型レンズ。
【請求項４】
スパイラルコードの一端にフレネルレンズを、スパイラルコードに取り付けられた該レンズ収納可能なケース内に該レンズを収納させて設けてなる請求項１から３のいずれかの項に記載の買い物かご用付帯型レンズ。
【考案の詳細な説明】
【技術分野】
【０００１】  この考案は、スーパー等にて用いる買い物かごに付帯して用いるレンズに関する。
【背景技術】
【０００２】  従来より、スーパーやコンビニ等にて買い物かごが多用されているが、この買い物かごに付帯させて用いるレンズは見当たらない。
【考案の概要】
【考案が解決しようとする課題】
【０００３】  スーパー等にて食料品その他の買い物をするとき、店に置いてある買い物かごをよく用いる。一方、販売されている食品は蓋付きのプラスチック容器内に収容されている場合も多く、とくに総菜の大半はこのスタイルである。この場合、ケースの上面と下面には食品に関する情報、調理食品名、消費期限、価格、成分表示、原材料名、製造者名と所在地などが表示されている。
しかし、この表示している文字は小さく、とりわけ高齢者にとっては見にくくなる。
これを解消する手段として、一般的には老眼鏡などを持参して用いる方法もあるが、その都度眼鏡をかけたり外したりする煩わしさを有し、ときには老眼鏡を忘れる事もある。
また、アレルギーを有する人にとっては、原材料名の確認をしなければならないが、この文字はとくに小さく表示されて判別しにくいという問題がある。
本案は以上に鑑み、買い物かごに付帯させるレンズを設けることによって、誰でも容易に食品表示を拡大して認識することのできる、新規かつ有用なる手段を提供することを目的として発案されたものである。
【課題を解決するための手段】
【０００４】  課題を解決する手段として本案は以下の構成とした。
すなわち、伸縮可能なるスパイラルコードの一端にフレネルレンズを、他端に係留体を各々設ける。本案は以上の構成よりなる買い物かご用付帯型レンズである。
【考案の効果】
【０００５】  本案によれば、買い物かごにレンズをスパイラルコードにて係留することができるので、市販の総菜等容器の文字表示を拡大視認して、その内容を容易に理解することのできる有用なる物品を得ることができる。また、本品は係留方式のため、バッグ、リュックその他の物品に装着して多方面に利用することができる。
【図面の簡単な説明】
【０００６】
【図１】  本考案の正面図
【図２】  本考案の右側面図
【図３】  本考案の要部構造説明図
【図４】  本考案の要部他例説明図
【図５】  本考案の別例説明図
【図６】  本考案の使用状態図（買い物かご正面視）
【図７】  本考案の使用状態図（買い物かご左側面視）
【考案を実施するための最良の形態】
【０００７】  以下、本考案の実施形態について説明する。
図において、１は市販のフレネルレンズで、透明合成樹脂小板体の表面に、連続的特殊凹凸を形成したものである。このフレネルレンズの適所には取付孔２が穿設される。
３は金属製の小環体による係止環で、線材を約１周スパイラル状に設けたもので、取付孔内に位置する。取り付け時は隣接する部分を離れるように押し広げて上記の取付孔に入れ込むことができる。
４はスパイラルコードで、合成樹脂をコイル状に形成したものであって、人力にて伸縮可能である。５は環状金具としての市販の係留体であり、（通称ナスカン）以下の構成による。６は本体で、図１にて示すように、正面視において略ナス形の金属体であって、その中央には楕円形の空隙を有している。７は略Ｌ形のレバーで、内蔵軸８に回動可能に軸支される。従って、このレバー押圧にてレバーは回動し、図３にて示すように、本体の一部は開放されて、この開放部を利用して他物品に係留することができる。
なお、本体内には適所に空隙とスプリングが設けられており、レバー押圧解除にてレバーは初期位置へと復帰する。
９は本体下方へ突出している段部を有する突出軸で、ここに略環状の回動体１０が回動可能に設けられる。前記のスパイラルコードの上下端は変形環状に形成され、係止環と回動体は図１のごとく各々取り付けられる。
以上が本案の一実施形態である。【０００８】  次に、本案の使用について説明する。
本案の使用に際しては、まず買い物かごに本品を係留する。
買い物かご側面には多数の細長孔が連設されており、この孔間部分に本品を係留する。
係留時はレバーを回動させて本体に空隙を露出させ、この空隙から細長孔間部分を本体内に挿入し、レバー押圧解除にて本品を買い物かごに係留することができる。
係留時は図５〜図６にて示すように、本品は買い物かごの側面に沿って吊下位置する。スーパー等に出向いての買い物時において、前記のごとく買い物かごに本品を取り付け、例えば左手の肘を曲げて買い物かごの取っ手を掛け、右手で食品を取って左手に移し、右手でレンズを持って食品ケースに表示されている情報を拡大視認することができる。
なお、他手段として、店側で上記のセッティングをしたものをいくつか用意してもよい。【０００９】  図４は係留体としてクリップを用いる場合のクリップ図である。
２０は上部レバー、２１は下部レバー、２２は係合部、２３は金属製の弾力環である。
上部レバーの略中央下面と下部レバーの略中央上面とは回動可能に係合し、上下部のレバーの平面視における中央には細長孔が形成されて弾力環がその内方に位置し、各レバーの係合部よりやや左方には凹部が形成され、ここに弾力環の各端部が押圧接触している。
従って、レバーを上下に押圧することにて、弾力環の付勢力に逆らってレバー左部は開くので、前記買い物かごの細長孔間にクリップを押圧挟持することができる。
この仕組みは市販の洗濯ばさみと同様である。
上記の弾力環に前記のスパイラルコード端を取り付けることにて、初例同様の効果を得ることができる。なお、図のごとくクリップ端に段部を形成することにて、不用意な脱落を防ぐことができる。本例は、初例に比べて買い物かごへの着脱が容易となる利点を有する。【００１０】  図５は本案の別例を示すものである。
図において、１１は軟質合成樹脂によるケースで、内仕切りにて第１ポケット１２と第２ポケット１３が形成される。このケース適所には孔が穿設されて、この孔内に図５のごとく初例にて用いた係止環が位置する。このポケットは既述のフレネルレンズが収納可能なサイズであり、図のようにポケット内にフレネルレンズが挿入保持される。
使用時はこのポケットからフレネルレンズを抜き出して用いる。本例は、スバイラルコードと係止環を介してケースが設けられ、このケース内にフレネルレンズが位置するので、自由な位置でフレネルレンズを使用できる特徴がある。また、ケースにレンズ以外の他のカード類を収納できるので、より多様な利用が可能となる。【００１１】  以上、本案について記したが、本案はレンズを買い物かごに付帯させて用いるところにその特徴を有するものである。既述の仕組みにより、買い物かごとレンズは一体化して、レンズの紛失は阻止され、またスパイラルコードを用いたので、所定範囲内にて買い物かごからレンズを離して用いることができる。
スパイラルコードはその弾力にて縮む方向へと絶えず付勢されているので、不使用時におけるレンズ位置がほぼ定まるものとなる。買い物かごへの係留は、ナスカンやクリップ方式を示したが、他の係留手段、例えば面ファスナーやマグネットなどの方式を用いてもよい。係留体の取り付け場所は、既例以外に買い物かごの持ち手でもよい。
本品の主たる使用としては、既述のように買い物かごに付帯させて用いるものとしたが、他の利用として、バッグやリュック等へ付帯させて用いることができ、登山やハイキング等にて、草花や虫などを拡大視認して便利に用いることができる。なお、既述の例は実施の一例であって、近似の他の構成としてもよい。
以上のごとく、本案によって利用価値大なる付帯型のレンズを得ることができる。
【符号の説明】
【００１２】  １  フレネルレンズ
２  取付孔
３  係止環
４  スパイラルコード
５  係留体
６  本体
７  レバー
８  内蔵軸
９  突出軸
１０  回動体
１１  ケース
１２  第１ポケット
１３  第２ポケット
２０  上部レバー
２１  下部レバー
２２  係合部
２３  弾力環
２４  買い物かご
【図１】
0003207240.tif 000003
【図２】
0003207240.tif 000004
【図３】
0003207240.tif 000005
【図４】
0003207240.tif 000006
【図５】
0003207240.tif 000007
【図６】
0003207240.tif 000008
【図７】
0003207240.tif 000009